(57)【要約】【課題】  より面白い動作をする駆動装置を得ること。【解決手段】  当該駆動装置１の正面から見て、複数の第１装飾体３１０は装飾回転板２１１の手前に位置し、複数の第２装飾体３２０は複数の第１装飾体の手前に位置し、第１歯車２１０を正回転させると第１停止形態から第２停止形態へと形態変化し、且つ第１歯車を逆回転させると第２停止形態から第１停止形態へと形態変化するものであり、第１停止形態では、複数の第１装飾体が装飾回転板を覆うとともに、複数の第２装飾体がリング形状を呈し、第２停止形態では、複数の第１装飾体が第１停止形態と同じ位置にて装飾回転板を覆うとともに、複数の第２装飾体が非リング形状を呈し、形態変化をする間は、係止手段４００が作動して、第２装飾体が駆動しない状態と、第２装飾体が駆動する状態があり、更に、装飾回転板が回転をしながら複数の第１装飾体の奥から露呈するようにした。【選択図】図１
2011064473.tif 000002
【特許請求の範囲】
【請求項１】
駆動手段と、前記駆動手段に従動する第１歯車と、前記第１歯車と噛合した複数の第２歯車と、前記第１歯車に対して平行に且つ回転軸が同じとなるように設けられた第３歯車と、前記第３歯車と噛合した複数の第４歯車と、前記複数の第２歯車にそれぞれ従動する複数の第１装飾体と、前記複数の第４歯車にそれぞれ従動する複数の第２装飾体と、前記第３歯車を前記第１歯車に係止する係止手段とを備え、
前記係止手段により前記第３歯車が前記第１歯車に係止されているときは、前記第１装飾体及び前記第２装飾体が駆動し、前記第３歯車の係止が解除されているときは、前記第１装飾体が駆動し且つ前記第２装飾体が駆動しないようにした駆動装置において、
前記第１歯車には装飾回転板を設け、
当該駆動装置の正面から見て、前記複数の第１装飾体は前記装飾回転板の手前に位置し、前記複数の第２装飾体は前記複数の第１装飾体の手前に位置し、
当該駆動装置は、前記複数の第１装飾体、前記複数の第２装飾体、及び前記装飾回転板を所定の位置で停止させてなる第１停止形態及び第２停止形態を設定してなり、前記第１歯車を正回転させると前記第１停止形態から前記第２停止形態へと形態変化し、且つ前記第１歯車を逆回転させると前記第２停止形態から前記第１停止形態へと形態変化するものであり、
前記第１停止形態では、前記複数の第１装飾体が前記装飾回転板を覆うとともに、前記複数の第２装飾体がリング形状を呈し、
前記第２停止形態では、前記複数の第１装飾体が前記第１停止形態と同じ位置にて前記装飾回転板を覆うとともに、前記複数の第２装飾体が非リング形状を呈し、
前記形態変化をする間は、前記係止手段が作動して、前記複数の第１装飾体が駆動し且つ前記複数の第２装飾体が駆動しない状態と、前記複数の第１装飾体及び前記複数の第２装飾体が駆動する状態があり、更に、前記装飾回転板が回転をしながら前記複数の第１装飾体の奥から露呈するようにしたことを特徴とする駆動装置。
【発明の詳細な説明】
【技術分野】
【０００１】
本発明は、装飾体を駆動する駆動装置に関する。
【背景技術】
【０００２】
壁掛け時計や置き時計等は、装飾性に優れたものが好まれる傾向にあり、所定の時間になると報知音を発生するとともに装飾体を駆動するように構成されたものが知られている。特許文献１乃至３には、時計の指標部を装飾体として駆動する装置が開示されている。
【０００３】
特に、特許文献３は、本願出願人が先に出願したものであり、これに開示された駆動装置は、駆動手段と、駆動手段に従動する第１歯車と、第１歯車と噛合した複数の第２歯車と、第１歯車に対して平行に且つ回転軸が同じとなるように設けられた第３歯車と、第３歯車と噛合した複数の第４歯車と、複数の第２歯車にそれぞれ従動する複数の第１装飾体と、複数の第４歯車にそれぞれ従動する複数の第２装飾体と、第３歯車を第１歯車に係止する係止手段とを備え、係止手段により第３歯車が第１歯車に係止されているときは、第１装飾体及び第２装飾体が駆動し、第３歯車の係止が解除されているときは、第１装飾体が駆動し且つ第２装飾体が駆動しないように構成されたものである。
【先行技術文献】
【特許文献】
【０００４】
【特許文献１】特願平６−３５８１８号公報
【特許文献２】特開２００２−１８９０８６号公報
【特許文献３】特開２００８−２９８６４５号公報
【発明の概要】
【発明が解決しようとする課題】
【０００５】
さて近年、この種の時計は、より奇抜で斬新なものが求められており、駆動装置についても、かつてない動きを得るべく、更なる構造的工夫の検討が重要とされている。本発明は、かかる事情に鑑みてなされたものであり、その目的は、より面白い動作をする駆動装置を提供することである。
【課題を解決するための手段】
【０００６】
本願第１請求項に記載した発明は、駆動手段（１００）と、前記駆動手段（１００）に従動する第１歯車（２１０）と、前記第１歯車（２１０）と噛合した複数の第２歯車（２２０）と、前記第１歯車（２１０）に対して平行に且つ回転軸が同じとなるように設けられた第３歯車（２３０）と、前記第３歯車（２３０）と噛合した複数の第４歯車（２４０）と、前記複数の第２歯車（２２０）にそれぞれ従動する複数の第１装飾体（３１０）と、前記複数の第４歯車（２４０）にそれぞれ従動する複数の第２装飾体（３２０）と、前記第３歯車（２３０）を前記第１歯車（２１０）に係止する係止手段（４００）とを備え、前記係止手段（４００）により前記第３歯車（２３０）が前記第１歯車（２１０）に係止されているときは、前記第１装飾体（３１０）及び前記第２装飾体（３２０）が駆動し、前記第３歯車（２３０）の係止が解除されているときは、前記第１装飾体（３１０）が駆動し且つ前記第２装飾体（３２０）が駆動しないようにした駆動装置（１）において、前記第１歯車（２１０）には装飾回転板（２１１）を設け、当該駆動装置（１）の正面から見て、前記複数の第１装飾体（３１０）は前記装飾回転板（２１１）の手前に位置し、前記複数の第２装飾体（３２０）は前記複数の第１装飾体（３１０）の手前に位置し、当該駆動装置（１）は、前記複数の第１装飾体（３１０）、前記複数の第２装飾体（３２０）、及び前記装飾回転板（２１１）を所定の位置で停止させてなる第１停止形態及び第２停止形態を設定してなり、前記第１歯車（２１０）を正回転させると前記第１停止形態から前記第２停止形態へと形態変化し、且つ前記第１歯車（２１０）を逆回転させると前記第２停止形態から前記第１停止形態へと形態変化するものであり、前記第１停止形態では、前記複数の第１装飾体（３１０）が前記装飾回転板（２１１）を覆うとともに、前記複数の第２装飾体（３２０）がリング形状を呈し、前記第２停止形態では、前記複数の第１装飾体（３１０）が前記第１停止形態と同じ位置にて前記装飾回転板（２１１）を覆うとともに、前記複数の第２装飾体（３２０）が非リング形状を呈し、前記形態変化をする間は、前記係止手段（４００）が作動して、前記複数の第１装飾体（３１０）が駆動し且つ前記複数の第２装飾体（３２０）が駆動しない状態と、前記複数の第１装飾体（３１０）及び前記複数の第２装飾体（３２０）が駆動する状態があり、更に、前記装飾回転板（２１１）が回転をしながら前記複数の第１装飾体（３１０）の奥から露呈するようにした構成の駆動装置（１）である。
【０００７】
本願発明者は、より面白い動作をする駆動装置を得るべく、前記特許文献３に記載された駆動装置の応用の可能性を鋭意検討し、本願発明を達成した次第である。
【発明の効果】
【０００８】
本発明によれば、より面白い動作をする駆動装置を得ることができる。
【図面の簡単な説明】
【０００９】
【図１】本発明の実施例に係り、駆動装置を備えた時計を示す正面図である（第１停止形態）。
【図２】本発明の実施例に係り、駆動装置を備えた時計を示す正面図である（第１装飾体が駆動し且つ第２装飾体が駆動しない状態）。
【図３】本発明の実施例に係り、駆動装置を備えた時計を示す正面図である（第１装飾体及び前記第２装飾体が駆動する状態）。
【図４】本発明の実施例に係り、駆動装置を備えた時計を示す正面図である（第２停止形態）。
【図５】本発明の実施例に係り、駆動装置を示す透視正面図である。
【図６】本発明の実施例に係り、駆動装置を示す透視側面断面図である。
【図７】本発明の実施例に係り、本発明の実施例に係り、第３歯車及び第４歯車を示す斜視図である。
【図８】本発明の実施例に係り、第１歯車の背面を示す斜視図である。
【図９】本発明の実施例に係り、係止手段の動作説明図である。
【図１０】本発明の実施例に係り、係止手段の動作説明図である。
【図１１】本発明の実施例に係り、係止手段の動作説明図である。
【図１２】本発明の実施例に係り、係止手段の動作説明図である。
【図１３】本発明の実施例に係り、係止手段の動作説明図である。
【図１４】本発明の実施例に係り、複数の第１装飾体を示す正面透視図である（第１停止形態及び第２停止形態）。
【図１５】本発明の実施例に係り、複数の第２装飾体を示す正面透視図である（第１停止形態）。
【発明を実施するための形態】
【００１０】
以下に、本発明の実施例を図面に基づいて説明する。図１乃至４図は、本例の駆動装置１を備えた時計９００を示す正面図である。この駆動装置１は、壁掛け型の時計９００の装飾用に設計されたものである。
【００１１】
本例の駆動装置１は、モータ１１０及び減速ギア１２０からなる駆動手段１００と、駆動手段１００に従動する第１歯車２１０と、第１歯車２１０と噛合した複数の第２歯車２２０（図例では３個）と、第１歯車２１０に対して平行に且つ回転軸が同じとなるように設けられた第３歯車２３０と、第３歯車２３０と噛合した複数の第４歯車２４０（図例では６個）と、複数の第２歯車２２０にそれぞれ従動する複数の第１装飾体３１０と、複数の第４歯車２４０にそれぞれ従動する複数の第２装飾体３２０と、第３歯車２３０を第１歯車に係止する係止手段４００とを備えている。また、第１歯車２１０には装飾回転板２１１が設けられており、第１装飾体３１０、第２装飾体３２０、及び装飾回転板２１１は、共通の駆動手段１００にて駆動する構成となっている。
【００１２】
第１歯車２１０、第２歯車２２０、第３歯車２３０、第４歯車２４０、及び駆動手段１００は、基板体５００及び基板体５００の正面に装着するケース体６００の間に設けられている。基板体５００の中央には、円筒リブ５１０が設けられており、第１歯車２１０及び第３歯車２３０は、この円筒リブ５１０に対して回転可能に装着されている。ケース体６００は、時計９００の正面側に配置される所定の形状の部材である。ケース体６００の背面中央には、指針９１０を駆動するムーブメント９２０が設けられている。
【００１３】
第１装飾体３１０には、中空ボス状の第１軸部７１０を一体に設けるとともに、第４歯車２４０には、第１軸部７１０に挿通可能な第２軸部７２０を一体に設けている。第１装飾体３１０は、第１軸部７１０を第１歯車２１０に固定して連結される。第２装飾体３２０は、第２軸部７２０を第４歯車２４０に固定して連結される。また、各第２歯車２２０及び各第４歯車２４０は、第１歯車２１０及び第３歯車２３０の回転軸を中心に所定のピッチで円形配列されており、それらの回転軸が互いに平行となっている。更に、第２装飾体３２０の回転軸は、一つ置きに第１装飾体３１０の回転軸と同じ位置となるように設けられており、各第１軸部７１０には、回転軸が同じ位置となる第２装飾体３２０の第２軸部７２０が挿通されている。ケース体６００の適宜部位には、所要の通孔が設けられている。
【００１４】
第２歯車２２０及び第１装飾体３１０は、第１軸部７１０を中心に回転し、第４歯車２４０及び第２装飾体３２０は、第２軸部７２０を中心に回転する。すなわち、第１歯車２１０が回転すると、第２歯車が回転し、第１装飾体３１０が第２歯車と同期回転する。第３歯車２３０が回転すると、第４歯車が回転し、第２装飾体３２０が第４歯車と同期回転する。また、装飾回転板２１１は、第１歯車２１０の正面側に設けられており、第１歯車２１０と同期回転する。
【００１５】
係止手段４００は、第３歯車２３０を第１歯車２１０に係止することにより、第３歯車２３０を第１歯車２１０と同期回転させるものである。係止手段４００により第３歯車２３０が第１歯車２１０に係止されているときは、第１装飾体３１０及び第２装飾体３２０が駆動する。第３歯車２３０の係止が解除されているときは、第１装飾体３１０が駆動し且つ第２装飾体３２０が駆動しない。
【００１６】
係止手段４００の構成は、特に限定はしないが、本例の場合、図７乃至図１３に示すように、第１歯車２１０及び第３歯車２３０の一方に設けられたレバー４１０と、それらの他方に設けられたレバー嵌合部４２０と、レバー４１０を操作するレバー操作手段４３０とを備えたものである。レバー操作手段４３０の操作に伴って、レバー４１０がレバー嵌合部４２０に嵌合すると、第３歯車２３０が第１歯車２１０に係止される。レバー４１０がレバー嵌合部４２０から離脱すると、第３歯車２３０の係止が解除される。
【００１７】
図例したレバー４１０は、雄ねじ部品４１１にて第３歯車２３０に枢支されたものである。第１歯車２１０には、第１ボス４２１及びリブ４２２かならるレバー嵌合部４２０が設けられている。レバー４１０の要所には、第１ボス４２１を嵌め込む凹部４１２と、リブ４２２に当接する第２ボス４１３が設けられている。
【００１８】
また、図例したレバー操作手段４３０は、基板体５００に設けられたガイド溝である。レバー４１０には、このレバー操作手段４３０に係止される被操作用ボス４１４が設けられている。尚、第３歯車２３０の要所には、被操作用ボス４１４を貫通する長孔２３１が設けられている。
【００１９】
この係止手段４００による第３歯車２３０の係止は、第１歯車２１０と第３歯車２３０の位相関係に依存する。係止手段４００の動作は、次の通りである。
【００２０】
まず、レバー４１０とレバー嵌合部４２０が離れた状態においては、第１歯車２１０のみが回転する（図９参照）。第１歯車２１０が回転してレバー嵌合部４２０がレバー４１０に接近していくと（図１０参照）、第１ボス４２１が凹部４１２に嵌め込まれて、レバー４１０が第１ボス４２１に押された状態となる。
【００２１】
更に第１歯車２１０が回転すると、レバー４１０が第１ボス４２１に押されることにより第３歯車２３０が回転し、被操作用ボス４１４がレバー操作手段４３０たるガイド溝を移動しつつレバー４１０が第３歯車２３０に対して回転する。第３歯車２３０に対するレバー４１０の回転量は、レバー操作手段４３０によって規制されている。このようにレバー４１０が回転すると、第２ボス４１３がリブ４２２の要所に当接し、レバー４１０が第１ボス４２１及びリブ４２２に挟まれてレバー４１０とレバー嵌合部４２０とが嵌合し、第３歯車２３０が第１歯車２１０に係止された状態となる（図１１参照）。
【００２２】
そして更に第１歯車２１０が回転すると、第３歯車２３０が第１歯車２１０と同期回転する（図１２参照）。ここで、レバー操作手段４３０たるガイド溝における被操作用ボス４１４の移動域は、第３歯車２３０に対してレバー４１０が回転しないように設定されている。つまり、ガイド溝の形状は、その端部を所定の形状に変形した円弧状となっている。
【００２３】
このように第１歯車２１０及び第３歯車２３０が所定量回転すると（図１３参照）、そこでモータ１１０を一旦停止する。更に、今度はモータ１１０の回転方向を反転して、第１歯車２１０をこれまでとは逆の方向に回転させる。係止手段４００の動作は、反転する。すなわち、第３歯車２３０が第１歯車２１０とともにこれまでとは逆の方向に同期回転し（図１２参照）、第１歯車２１０及び第３歯車２３０が所定量回転すると、第３歯車２３０が第１歯車２１０に係止された状態（図１１参照）から、レバー４１０が第３歯車２３０に対して先程とは逆の方向に回転し、第３歯車２３０の係止が解除される（図１０参照）。そして、第１歯車２１０のみが逆の方向に回転する状態となり、初期の状態に復帰する（図９参照）。尚、本例の係止手段４００は、第１歯車２１０及び第３歯車２３０の回転に応じて機械的に動作するものであるが、或は、ソレノイド等を用いて電気的に制御するように構成することも可能である。
【００２４】
第１装飾体３１０及び第２装飾体３２０の回転量は、各歯車の回転量及び回転比と、係止手段４００の動作とを踏まえることにより、任意に設定することができる。特に限定はしないが、本例の場合、第１装飾体３１０が９０°回転すると、第２装飾体３２０が第１装飾体３２０とともに回転し、そこから第１装飾体３２０及び第２装飾体３２０が２７０°回転したところでモータ１１０を停止し、反転する構成となっている。
【００２５】
次に、本例の駆動装置１の形態について説明する。本例の駆動装置１を正面から見ると、複数の第１装飾体３１０は装飾回転板２１１の手前に位置し、複数の第２装飾体３２０は複数の第１装飾体３１０の手前に位置している。
【００２６】
駆動装置１は、複数の第１装飾体３１０、複数の第２装飾体３２０、及び装飾回転板２１１を所定の位置で停止させてなる第１停止形態及び第２停止形態を設定してなり、第１歯車２１０を正回転させると第１停止形態から第２停止形態へと形態変化し、且つ第１歯車２１０を逆回転させると第２停止形態から第１停止形態へと形態変化するものとなっている。基板体５００又はケース体６００の要所には、第１歯車２１０の回転位置を検出するセンサ５０１が設けられており、モータは、第１歯車２１０の回転位置に応じて制御される。
【００２７】
第１停止形態では、複数の第１装飾体３１０が装飾回転板２１１を覆うとともに、複数の第２装飾体３２０がリング形状を呈している（図１参照）。複数の第２装飾体３２０は、リング形状を呈する状態で時計９００の指標を構成している。
【００２８】
図１４は、装飾回転板２１１を覆う状態の第１装飾体３１０を示している。各第１装飾体３１０は、第１歯車２１０及び第３歯車２３０の回転軸を中心とする円弧を呈する第１縁部３１１と、その第１装飾体３１０の回転軸を中心とする第２縁部３１２とを備えている。
【００２９】
また、図１５は、リング形状を呈する状態の第２装飾体３２０を示している。リングに対応する周長が長いものと短いものとを交互に配置するとともに、それらの位置を前後方向にずらすことにより、回転時における互いの干渉を回避する構成となっている。
【００３０】
第２停止形態では、複数の第１装飾体３１０が３６０°回転して第１停止形態と同じ位置にて装飾回転板２１１を覆うとともに、複数の第２装飾体３２０が２７０°回転して非リング形状を呈している（図４参照）。
【００３１】
形態変化をする間は、前述したように係止手段４００が作動して、複数の第１装飾体３１０が駆動し且つ複数の第２装飾体３２０が駆動しない状態（図２参照）と、複数の第１装飾３１０及び複数の第２装飾体３２０が駆動する状態（図３参照）があり、更に、装飾回転板２１１が回転をしながら複数の第１装飾体３１０の奥から露呈する。
【００３２】
すなわち、本例の時計９００は、通常時には第１停止形態にて時刻表示をしている（図１参照）。そして、所定の時刻が到来すると、あるいは使用者が不図示のモニタースイッチを操作すると、駆動装置１００が駆動する。この駆動１００によれば、先ず第１装飾体３１０が駆動し且つ第２装飾体３２０が駆動しない状態となり（図２参照）、第１装飾体３１０が９０°回転したところで、係止手段４００により第３歯車２３０が第１歯車２１０に係止され、第１装飾３１０及び第２装飾体３２０が駆動する状態となる（図３参照）。そこから第１装飾３１０及び第２装飾体３２０が同期回転し、それらが２７０°回転すると第２停止形態となる（図４参照）。更に、第２停止形態においてモータ１１０が一旦停止し、その後、逆回転を開始すると駆動が反転し、第１停止形態に戻ったところで停止する。
【００３３】
尚、第１装飾体３１０は、装飾回転板２１１を覆うことから、比較的大型のものとなる。このため本例では、第１装飾体３１０の駆動の安定化を図るべく、第１装飾体３１０の縁部の前後方向のブレを規制するガイド部材を配置している。ガイド部材としては、ムーブメント９２０に指針９１０の回転軸を中心とする円筒パイプ９２１を設け、これに第１プーリ８１０を配置している。また、第１軸部７１０を挿通していない第２軸部７２０に第２プーリ８２０を配置している。第１装飾体３１０の縁部の前後方向のブレは、第１プーリ８１０及び第２プーリ８２０にて規制される。
【００３４】
以上説明した本例の駆動装置１によると、装飾体の動作をより面白く設定することができ、時計のパフォーマンスを一層向上することができる。従来の駆動装置と比較すれば、立体感のある動きが得られる。特に、駆動時に装飾回転板２１１が露呈するとともに、リング形状を呈する指標が分離するという点で、通常時から駆動時に移る際の変化が劇的となり、意外性が増す。尚、本例における各部の構成は、特許請求の範囲に記載した技術的範囲において適宜に設計変更が可能であり、図例説明したものに限定されないことは勿論である。
【産業上の利用可能性】
【００３５】
本発明の駆動装置は、置き時計や壁掛け時計を装飾する装置として、極めて好適に利用することが可能である。
【符号の説明】
【００３６】
１      駆動装置
１００      駆動手段
１１０      モータ
１２０      減速ギア
２１０      第１歯車
２１１      装飾回転板
２２０      第２歯車
２３０      第３歯車
２３１      長孔
２４０      第４歯車
３１０      第１装飾体
３１１      第１縁部
３１２      第２縁部
３２０      第２装飾体
４００      係止手段
４１０      レバー
４１１      雄ねじ部品
４１２      凹部
４１３      第２ボス
４１４      被操作用ボス
４２０      レバー嵌合部
４２１      第１ボス
４２２      リブ
４３０      レバー操作手段
５００      基板体
５０１      センサ
５１０      円筒リブ
６００      ケース体
７１０      第１軸部
７２０      第２軸部
８１０      第１プーリ
８２０      第２プーリ
９００      時計
９１０      指針
９２０      ムーブメント
９２１      円筒パイプ
【図１】
2011064473.tif 000003
【図２】
2011064473.tif 000004
【図３】
2011064473.tif 000005
【図４】
2011064473.tif 000006
【図５】
2011064473.tif 000007
【図６】
2011064473.tif 000008
【図７】
2011064473.tif 000009
【図８】
2011064473.tif 000010
【図９】
2011064473.tif 000011
【図１０】
2011064473.tif 000012
【図１１】
2011064473.tif 000013
【図１２】
2011064473.tif 000014
【図１３】
2011064473.tif 000015
【図１４】
2011064473.tif 000016
【図１５】
2011064473.tif 000017